(57)【要約】【課題】扉の材質や構造に起因して取り付けが行えなかったドアスコープを、扉に穴開け加工を施すことなく、容易に取り付けできる室外監視手段付エスカチオン及び室外監視システムを得、防犯性を向上させる。【解決手段】扉木口１１から錠ボルトを進退させる錠箱の内蔵された扉１９に挟着され錠箱に連結される室外側レバー２７、シリンダ錠の設けられた室外側化粧座２１と、錠箱に連結される室内側レバー、サムターンの設けられた室内側化粧座とを有した室外監視手段付エスカチオン１００であって、一端を室外側化粧座２１に表出させ室内側から室外側を視認可能とした筒状のドアスコープ４１が室外側化粧座２１と室内側化粧座とに亘って設けられる。室外監視手段付エスカチオン１００は、室内側化粧座に撮像素子にて撮像するカメラを電源と共に内設し、ドアスコープ４１からの室外光を撮像素子に導入するよう構成してもよい。【選択図】      図１
2009019462.tif 000002
【特許請求の範囲】
【請求項１】
扉木口から錠ボルトを進退させる錠箱の内蔵された扉に挟着され前記錠箱に連結される室外側操作部材、シリンダ錠の設けられた室外側化粧座と、前記錠箱に連結される室内側操作部材、サムターンの設けられた室内側化粧座とを有した室外監視手段付エスカチオンであって、
一端を前記室外側化粧座に表出させ室内側から室外側を視認可能とした筒状のドアスコープが前記室外側化粧座と前記室内側化粧座とに亘って設けられたことを特徴とする室外監視手段付エスカチオン。
【請求項２】
前記室内側化粧座に撮像素子にて撮像するカメラが電源と共に内設され、
前記ドアスコープからの室外光が前記撮像素子に導入されることを特徴とする請求項１記載の室外監視手段付エスカチオン。
【請求項３】
前記室内側化粧座に、開閉蓋の設けられた着脱開口部が形成され、
前記カメラが該着脱開口部を介して前記室内側化粧座に対して脱着自在に取り付けられたことを特徴とする請求項２記載の室外監視手段付エスカチオン。
【請求項４】
請求項２又は３記載の室外監視手段付エスカチオンと、
前記カメラに設けられ撮像情報を無線転送可能な送信手段と、
該送信手段から送信される前記撮像情報を受信する受信手段、及び該受信手段にて受信した前記撮像情報に基づき室外像を表示する表示手段を有する表示装置と、
を具備したことを特徴とする室外監視システム。
【発明の詳細な説明】
【技術分野】
【０００１】
本発明は、室外側化粧座と室内側化粧座とに亘ってドアスコープが設けられた室外監視手段付エスカチオン及び室外監視システムに関する。
【背景技術】
【０００２】
従来より、扉には来訪者確認用の所謂ドアスコープの設けられることがある。ドアスコープは、一端（室外側の端）にフランジを有する外部側筒体を、扉に穿設した貫通孔の室外側から挿入するとともに、他端（室内側の端）にフランジの形成された内部側筒体を、貫通孔の室内側から挿入し、双方の筒体を螺合することにより、扉を一対のフランジにて表裏から挟むようにして取り付けられる。筒部には広角レンズが取り付けられ、室内側からは広い視野範囲で室外が視認可能となる一方、室外側からは室内が視認し難くなっている。このドアスコープを設けることにより、扉を開けずに来訪者や、室外状況の視認が可能となり、防犯性を高めることができた。
【発明の開示】
【発明が解決しようとする課題】
【０００３】
しかしながら、ドアスコープは、既設の扉に後付けする場合、新たに穴開け加工を施さなければならず、穴開け加工が煩雑であることから、施工コストも増大した。また、ドアスコープの配置される位置は、一般的に扉の上半部略中央であり、穴開け加工に失敗すれば、外観を著しく低下させるため、慎重な作業が強いられた。さらに、ドアスコープは、扉の材質や構造によっては取り付けできない問題があった。例えば、扉の表裏面材が穿孔困難な材質、例えばガラスや陶板等であったり、明かり採り窓が多用されていて、デザイン性を低下させる位置でしか穿孔が行えない場合、或いは断熱構造を貫通することで断熱性能を低下させてしまう場合等があった。そして、既設の扉に対しては、これらの問題がある場合には、ドアスコープの後付けが事実上不可能となり、扉を利用しての室外監視は断念せざるを得なかった。また、ドアスコープが外部から目視容易な位置であると、室内側からの外部確認時に、室外でドアスコープのレンズ部が明暗となって見えるため、居住者の在室・不在が分かってしまうこととなり、防犯上好ましくなかった。
【０００４】
本発明は上記状況に鑑みてなされたもので、扉の材質や構造に起因して取り付けが行えなかったドアスコープを、扉に穴開け加工を施すことなく、容易に取り付けできる室外監視手段付エスカチオン及び室外監視システムを提供し、もって、防犯性向上を図ることを目的とする。
【課題を解決するための手段】
【０００５】
次に、上記の課題を解決するための手段を、実施の形態に対応する図面を参照して説明する。
本発明の請求項１記載の室外監視手段付エスカチオンは、扉木口１１から錠ボルト１３，１５を進退させる錠箱１７の内蔵された扉１９に挟着され前記錠箱１７に連結される室外側操作部材２７、シリンダ錠２９の設けられた室外側化粧座２１と、前記錠箱１７に連結される室内側操作部材３１、サムターン３３の設けられた室内側化粧座２３とを有した室外監視手段付エスカチオン１００であって、
一端を前記室外側化粧座２１に表出させ室内５３側から室外５１側を視認可能とした筒状のドアスコープ４１が前記室外側化粧座２１と前記室内側化粧座２３とに亘って設けられたことを特徴とする。
【０００６】
この室外監視手段付エスカチオンでは、既存のエスカチオンが本室外監視手段付エスカチオン１００に交換されるだけで、扉１９への煩雑な穴開け加工を不要にして、ドアスコープ４１が扉１９に貫通して取り付けられる。また、材質や構造に起因してドアスコープ４を設けることができなかった扉１９に対してもドアスコープ４１が容易に取り付け可能となる。さらに、通常の取り付け位置より低い位置の室外側化粧座２１にドアスコープ４１が配置され、外部から目視され難くなる。
【０００７】
請求項２記載の室外監視手段付エスカチオンは、前記室内側化粧座２３Ａに撮像素子にて撮像するカメラ６３が電源と共に内設され、
前記ドアスコープ４１からの室外光が前記撮像素子に導入されることを特徴とする。
【０００８】
この室外監視手段付エスカチオンでは、ドアスコープ４１の取付位置にかかわらず、カメラ６３によって得られた撮像情報が異なる位置で視認可能となる。また、ドアスコープ４１の他端側がカメラ６３によって覆われて塞がれ、ドアスコープ４１を介して室内５３側の明かりが室外５１側へ洩れなくなる。
【０００９】
請求項３記載の室外監視手段付エスカチオンは、前記室内側化粧座２３Ａに、開閉蓋８９の設けられた着脱開口部８７が形成され、
前記カメラ６３が該着脱開口部８７を介して前記室内側化粧座２３Ａに対して脱着自在に取り付けられたことを特徴とする。
【００１０】
この室外監視手段付エスカチオンでは、カメラ６３の電源となる電池等の交換時やメンテナンス等、カメラ６３ごと室内側化粧座２３Ａから取り外すことが可能となる。
【００１１】
請求項４記載の室外監視システムは、請求項２又は３記載の室外監視手段付エスカチオン１００Ａと、
前記カメラ６３に設けられ撮像情報を無線転送可能な送信手段と、
該送信手段から送信される前記撮像情報を受信する受信手段、及び該受信手段にて受信した前記撮像情報に基づき室外像を表示する表示手段６９を有する表示装置６５と、
を具備したことを特徴とする。
【００１２】
この室外監視システムでは、室外側化粧座２１のドアスコープ４１によって得られた撮像情報が所望の場所、例えばリビングルームやキッチンルームなど扉から離れた居室等にて確認可能となる。
【発明の効果】
【００１３】
本発明に係る請求項１記載の室外監視手段付エスカチオンによれば、室外側を視認可能としたドアスコープを、室外側化粧座と室内側化粧座とに亘って設けたので、既存のエスカチオンを本室外監視手段付エスカチオンに交換するだけで、扉への煩雑な穴開け加工を不要にして外部監視を可能にすることができる。また、材質や構造に起因してドアスコープを設けることができなかった扉に対してもドアスコープを容易に取り付けすることができるようになる。さらに、室外側化粧座にドアスコープが位置するので、外部から目視され難くなり、特に、室内側からの外部確認時、ドアスコープレンズ部の明暗によって在不在が分かり難くなり、防犯性を高めることができる。そして、この室外監視手段付エスカチオンによれば、扉の開閉のための操作部分、扉の施解錠を行う施解錠装置、扉の外部の視認を行うドアスコープを１つのユニットとして構成しており、扉に対する施工性，施工効率化を向上させ、且つ多機能なエスカチオンを提供することができる。
【００１４】
請求項２記載の室外監視手段付エスカチオンによれば、室内側化粧座にカメラが内設され、ドアスコープからの室外光がこのカメラに導入されるので、ドアスコープの取付位置にかかわらず、カメラによって得られた撮像情報を異なる位置で視認することが可能となる。また、ドアスコープの室内側がカメラによって覆われ塞がれるので、ドアスコープを介して室内側の明かりが室外側へ洩れることがなく、防犯性を高めることができる。
【００１５】
請求項３記載の室外監視手段付エスカチオンによれば、室内側化粧座に、着脱開口部を形成し、この着脱開口部を介してカメラを脱着自在に取り付けたので、カメラの電源となる電池等の交換時には、カメラごと室内側化粧座から取り外して電源を簡便に交換することができる。また、カメラの故障、交換等のメンテナンスも簡便に行うことができる。
【００１６】
請求項４記載の室外監視システムによれば、請求項２又は請求項３記載の室外監視手段付エスカチオンと、撮像情報を無線転送する送信手段と、受信手段、及びこの受信手段にて受信した撮像情報を表示する表示手段を有する表示装置と、を備えたので、所望の場所で来訪者を確認することができる。
【発明を実施するための最良の形態】
【００１７】
以下、本発明に係る室外監視手段付エスカチオン及び室外監視システムの好適な実施の形態を図面を参照して詳細に説明する。
図１は本発明に係る室外監視手段付エスカチオンの設けられた扉の室外側から見た斜視図、図２は図１の要部拡大図、図３は図２の要部縦断面図である。
本実施の形態による室外監視手段付エスカチオン１００は、扉１９に挟着される室外側化粧座２１と、室内側化粧座２３（図３参照）とを有する。扉１９には錠箱１７（図３参照）が内蔵され、錠箱１７は扉木口１１にフロント板２５を表出する。錠箱１７は、内部に設けられた施解錠機構（図示せず）の作動によって、フロント板２５から錠ボルトである図２に示すデッドボルト１３、ラッチボルト１５を進退させる。
【００１８】
室外側化粧座２１には、錠箱１７内の施解錠機構に連結される室外側操作部材である室外側レバー２７、シリンダ錠２９（図３参照）が設けられる。また、室内側化粧座２３には、錠箱１７の施解錠機構に連結される室内側操作部材である室内側レバー３１（図３参照）、サムターン３３が設けられる。錠箱１７は、室外側レバー２７又は室内側レバー３１の回動操作によってラッチボルト１５を進退させるとともに、シリンダ錠２９に挿入される合鍵３５又はサムターン３３の施解錠操作によってデッドボルト１３を進退させる。
【００１９】
扉１９の室外側化粧座２１及び室内側化粧座２３の挟着部分には、固定軸３７ａ，３７ｂ，３７ｃ，レバー軸（図示せず）、シリンダ錠２９、サムターン本体３９の挿通される開口穴（図示せず）が穿設されている。開口穴は、これら複数の穴を一括した一つの四角穴であってもよく、個々に穿設した複数の穴であってもよい。一括した一つの四角穴であれば、後述するドアスコープ４１を挿通するためのスコープ挿通穴の新たな穴開け加工を省略できる。また、これら挿通穴が個々に穿設されており、新たなスコープ挿通穴の穴開け加工が必要な場合であっても、室外側化粧座２１及び室内側化粧座２３によって覆われるため、扉１９の露出部分に加工を施す場合に比べ、加工精度や見栄えはさほど重要とならない、つまり、ラフな加工が可能となり、さらには、両化粧座２１，２３の取り付けのための固定ネジ部分の貫通穴などと兼ねるような穴であってもよい。
【００２０】
スタッドナットよりなる固定軸３７ａ，３７ｂ，３７ｃは、室外側化粧座２１の背面に基端が固定される。室内側化粧座２３は、基板４３と、外装ケース４５とからなる。基板４３には固定軸３７ａ，３７ｂ，３７ｃに一致する複数の固定穴（図示せず）が穿設される。室外側化粧座２１と室内側化粧座２３とは、室外側から扉１９に挿通した固定軸３７ａ，３７ｂ，３７ｃの先端に、基板４３の固定穴に挿入した固定ネジ３８を螺合することで扉１９の表裏に挟着される。
【００２１】
室外側化粧座２１と室内側化粧座２３とには、一端を室外側化粧座２１に表出させ室内側から室外側を視認可能とした筒状のドアスコープ４１が設けられる。ドアスコープ４１は、レンズを内蔵した筒体構造で外周面に雄ネジ部を形成した本体４９と、この本体４９の雄ネジ部に螺着される雌ネジ部を内周面に備えた筒体４６とで構成される。本体４９は、一端（室外５１側の端）にフランジ４７を有し、他端（室内５３側の端）側外周面に雄ネジ部を形成し、室外側化粧座２１の室外側から貫通穴５５より挿入するとともに、本体４９他端の雄ネジ部を室内方向に向くように配置される。筒体４６は、一端（室内５３側の端）にフランジ４８を有し、他端（室外５１側の端）側内周面に雌ネジ部を形成し、室内側化粧座２３の室内側から開口部５９及び基板４３に穿設されたスコープ穴５７より挿入するとともに、他端の雌ネジ部を室外方向に向くように配置される。これら本体４９と筒体４６とが、扉１９の厚み内にて雄ネジ部と雌ネジ部とで螺着され、本体４９のフランジ４７が室外側化粧座２１に当接し、筒体４６のフランジ４８が外装ケース４５の開口部５９に配置されて、両化粧座２１，２３及び扉１９を貫通し挟着される。筒体４９には広角レンズ６１が取り付けられ、室内５３側からは筒体４６のフランジ４８側が覗き穴となり広い視認範囲、例えば１６０〜１８０度で室外５１が視認可能となる一方、室外５１側からは室内５３が視認し難くなっている。
【００２２】
したがって、室外監視手段付エスカチオン１００によれば、室外５１側を視認可能としたドアスコープ４１を、室外側化粧座２１と室内側化粧座２３とに亘って扉１９を貫通し設けたので、既存のエスカチオンを本室外監視手段付エスカチオン１００に交換するだけで、扉１９への煩雑な穴開け加工を不要にして外部監視を可能にすることができる。すなわち、この室外監視手段付エスカチオン１００によれば、扉１９の開閉のためのレバー等の操作部分、扉１９の施解錠を行うシリンダ錠２９やサムターン３３等の施解錠装置、扉１９の外部の視認を行うドアスコープ４１を１つのユニットとして構成しており、扉１９に対する施工性を向上させるとともに、施工効率化を図れ、且つ、多機能なエスカチオンを提供することができる。また、材質や構造に起因してドアスコープ４１を設けることができなかった扉１９に対してもドアスコープ４１を容易に取り付けすることができるようになる。さらに、室外側化粧座２１にドアスコープ４１が位置するので、外部から目視され難くなり、特に、室内５３側からの外部確認時に、ドアスコープレンズ部４１ａの明暗によって在不在が分かり難くなり、防犯性を高めることができる。
【００２３】
次に、本発明に係る第２実施形態の室外監視システム２００について説明する。
図４は室外監視システムに用いられる室外監視手段付エスカチオンの要部縦断面図、図５は図４の室外監視手段付エスカチオンを室内側から見た斜視図、図６は室外監視システムの概念図、図７は開閉蓋を取り外した状態の室内側化粧座の斜視図、図８はカメラを取り外した室内側化粧座の斜視図、図９は室内側化粧座に設けられるカメラ装着板の拡大斜視図、図１０はカメラを装着面側から見た拡大斜視図である。なお、図１〜図３に示した部材と同一の部材には同一の符号を付し、重複する説明は省略する。
本室外監視システム２００（図６参照）では、上記した第１実施形態の室外監視手段付エスカチオン１００に、カメラ６３が内蔵された変形例による室外監視手段付エスカチオン１００Ａ（図４参照）が用いられる。室外監視手段付エスカチオン１００Ａは、室外側化粧座２１が第１実施形態と同一であり、カメラ６３を内設する室内側化粧座２３Ａが第１実施形態と異なる。
【００２４】
室外監視システム２００は、室外監視手段付エスカチオン１００Ａと、表示装置６５とからなる。室内側化粧座２３Ａに内設されるカメラ６３は、レンズ６６（図１０参照）より入射させた光を撮像素子（図示せず）にて受光して撮像情報を出力する。カメラ６３には電源である乾電池或いは充電池（図示せず）が内蔵され、電池は蓋部６４の開放によって容易に交換可能となっている。また、カメラ６３には送信手段（図示せず）が内設され、送信手段は撮像情報を無線にて送信可能としている。
【００２５】
表示装置６５には受信手段（図示せず）が設けられ、受信手段はカメラ６３に付設された送信手段からの撮像情報を受信可能としている。表示装置６５には表示スイッチ６７、表示手段である液晶表示パネル６９、制御装置（図示せず）が設けられ、これらが電気的に接続されている。表示装置６５には、屋内電線７１を介して商用電源が供給されるようになっている。表示装置６５は、表示スイッチ６７が押下されると、操作信号が制御装置に入力され、制御装置が受信手段にて受信した撮像情報に基づき室外像を液晶表示パネル６９に表示させるよう動作する。
【００２６】
図４に示すように、ドアスコープ４１は、室内側化粧座２３Ａの基板４３Ａに筒体４６のフランジ４８が配置される。基板４３Ａには図９に示す鉄などの金属板からなるカメラ保持プレート７３，カメラ載置ブラケット７５が固定されている。カメラ６３の装着面６３ａ（図１０参照）には磁石７７が設けられ、カメラ載置ブラケット７５に載置されたカメラ６３は、磁石７７によって装着面６３ａがカメラ保持プレート７３に吸着保持され、基板４３Ａに装着されるようになっている。
【００２７】
基板４３Ａのスコープ穴５７に対応した位置のカメラ保持プレート７３には図９に示す透孔８１が穿設され、透孔８１はレンズ６６に一致してドアスコープ４１からの室外光をレンズ６６に導入する。この構造により、ドアスコープ４１の室内側がカメラ６３によって塞がれ、ドアスコープ４１を介して室内５３側の明かりが室外５１側へ洩れなくなる。カメラ６３は、カメラ載置ブラケット７５に載置することで、透孔８１にレンズ６６が一致するよう、装着位置が規制されて位置決めされるようになっている。
【００２８】
基板４３Ａには先端に雌ネジ穴を有する図９に示す複数のスタッドナット８３が立設され、スタッドナット８３は外装ケース４５Ａの外部から挿通された固定ネジ８５によって外装ケース４５Ａを基板４３Ａに固定する。外装ケース４５Ａには着脱開口部８７が形成され、着脱開口部８７は図７に示す開閉蓋８９を脱着自在に装着している。つまり、カメラ６３は、図８に示すように、開閉蓋８９を取り外した着脱開口部８７から脱着自在となっている。これにより、カメラ６３の電池交換時には、カメラ６３ごと室内側化粧座２３Ａから取り外して電池を簡便に交換することができる。また、カメラ６３の故障、交換等のメンテナンスも簡便に行うことができる。
【００２９】
上記のように構成された室外監視手段付エスカチオン及び室外監視システムでは、ユーザが扉１９の外部を確認するため、扉１９とは離れた場所に設けられた表示装置６５の表示スイッチ６７を押下すると、ドアスコープ４１から導入され、カメラ６３のレンズ６６を介して入射した室外光が撮像素子にて撮像情報に変換され、送信手段によって送信される。送信された撮像情報は、表示装置６５の受信手段によって受信され、表示装置６５は制御装置によって撮像情報に基づく室外像を液晶表示パネル６９に表示する。
【００３０】
すなわち、ドアスコープ４１の取付位置にかかわらず、カメラ６３によって得られた撮像情報が異なる位置、すなわち扉近傍ではない異なる部屋等で視認可能となる。また、ドアスコープ４１の室内側がカメラ６３によって覆われ塞がれるので、ドアスコープ４１を介して室内５３側の明かりが室外５１側へ洩れることがなく、防犯性を高めることができる。
【００３１】
室外監視システム２００によれば、室外監視手段付エスカチオン１００Ａと、撮像情報を無線転送する送信手段と、受信手段、及びこの受信手段にて受信した撮像情報を表示する液晶表示パネル６９を有する表示装置６５と、を備えたので、所望の場所で来訪者を確認することができる。
【００３２】
図１１はブッシュプル錠のエスカチオンに本発明を適用した変形例の斜視図、図１２は図１１に示した室外側上部エスカチオンに対応する室内側上部エスカチオンの拡大斜視図である。
なお、上記した実施の形態による室外監視手段付エスカチオン１００，１００Ａは、扉１９の表裏に挟着される盾形一対の鍵座となるが、室外監視手段付エスカチオンは、プッシュプル錠におけるレバーロッド９１の両端近傍を支持する上下分割構造の室外監視手段付エスカチオン１００Ｂに採用されても良い。
【００３３】
上下分割構造の室外監視手段付エスカチオン１００Ｂは、扉１９の室外側に取り付けられる室外側上部化粧座９５、室外側下部化粧座９７を有する。これらそれぞれの室外側上部化粧座９５、室外側下部化粧座９７にはシリンダ錠２９が設けられる。この場合、本発明の構成部材であるドアスコープ４１は室外側上部化粧座９５に設けられ、カメラ６３は室内側上部化粧座９９に内設される。他の構成は、室外監視手段付エスカチオン１００Ａと同一とすることができる。これにより、所謂１ドア２ロックタイプのエスカチオンにおいても上記した本発明の効果を得ることができ、さらに、化粧座９５，９９が扉１９の略上半部へ配置可能であることから、ドアスコープ４１の配置位置が人の顔の高さに近くなり、撮像情報が室外の人の顔面を容易に捉えることができ、来訪者の顔の確認を行え、且つ、より防犯性を増すことが可能となる。
【００３４】
また、ドアスコープ４１の構造として、筒体４９に対して室外に表出する一端のフランジ４７が回転自在な連結構造とされる構成としてもよく、フランジ４７が回転することで、このドアスコープ４１の螺着状態を解こうとしても空回りとなり、取り外すことが不可能となって、防犯性を高めることが可能となる。
【００３５】
さらに、ドアスコープ４１の構造として、第２実施形態においては室内側にカメラ６３が配設されることから、筒体４６の端部が表出する構造、すなわち図４にしめすように基板４３Ａに筒体４６のフランジ４８が配置される構造としなくとも良く、室外側に配置されるドアスコープ４１の本体４９に対し、ナット状の部材で扉１９内空間、或いは室外側化粧座２１に締結固定等されていればよい。
【００３６】
また、上述の第２実施形態では、室外監視システム２００として、室外監視手段付エスカチオン１００Ａと表示装置６５とを、離間させて構成し、扉１９とは別の場所で室外５１を見ることができる送信手段と受信手段を備えた構成例として説明したが、室内側化粧座（２３Ａ）に一体となるよう表示装置を配置構成する構造としてもよく、ドアスコープ４１、カメラ６３を介して得られる室外像を、扉１９の室内面に表示するように構成することで、扉１９に近づくのみで確認することができるようにしてもよい。このような構成とすることで、ドアスコープを覗き込むような動作が不要で、また、表示装置６５の設置されている部屋以外の居室等に居た場合に、扉へ近づくという行為で室外像、来訪者を確認可能となる。
【図面の簡単な説明】
【００３７】
【図１】本発明に係る室外監視手段付エスカチオンの設けられた扉の室外側から見た斜視図である。
【図２】図１の要部拡大図である。
【図３】図２の要部縦断面図である。
【図４】室外監視システムに用いられる室外監視手段付エスカチオンの要部縦断面図である。
【図５】図４の室外監視手段付エスカチオンを室内側から見た斜視図である。
【図６】室外監視システムの概念図である。
【図７】開閉蓋を取り外した状態の室内側化粧座の斜視図である。
【図８】カメラを取り外した室内側化粧座の斜視図である。
【図９】室内側化粧座に設けられるカメラ装着板の拡大斜視図である。
【図１０】カメラを装着面側から見た拡大斜視図である。
【図１１】ブッシュプル錠のエスカチオンに本発明を適用した変形例の斜視図である。
【図１２】図１１に示した室外側上部エスカチオンに対応する室内側上部エスカチオンの拡大斜視図である。
【符号の説明】
【００３８】
１１…扉木口
１３…錠ボルト（デッドボルト）
１５…錠ボルト（ラッチボルト）
１７…錠箱
１９…扉
２１…室外側化粧座
２３，２３Ａ…室内側化粧座
２７…室外側操作部材（室外側レバー）
２９…シリンダ錠
３１…室内側操作部材（室内側レバー）
３３…サムターン
４１…ドアスコープ
５１…室外側
５３…室内側
６３…カメラ
６５…表示装置
６９…表示手段（液晶表示パネル）
８７…着脱開口部
８９…開閉蓋
１００，１００Ａ，１００Ｂ…室外監視手段付エスカチオン
２００…室外監視システム
【図１】
2009019462.tif 000003
【図２】
2009019462.tif 000004
【図３】
2009019462.tif 000005
【図４】
2009019462.tif 000006
【図５】
2009019462.tif 000007
【図６】
2009019462.tif 000008
【図７】
2009019462.tif 000009
【図８】
2009019462.tif 000010
【図９】
2009019462.tif 000011
【図１０】
2009019462.tif 000012
【図１１】
2009019462.tif 000013
【図１２】
2009019462.tif 000014